(57)【要約】【課題】話者を必要とせずに表示コンテンツに対応した音声を出力する。【解決手段】表示装置１と音声出力装置２は、通信可能に接続し、それぞれ表示コンテンツの表示出力と、音声コンテンツの音声出力をおこなう。音声出力装置２の進行情報取得部２ｄは、利用者の意思表示入力、利用可能時間、連続利用時間、聴取状態などの、音声コンテンツの音声出力の進行の判断に用いる進行情報を取得する。音声出力進行制御部２ｂは、表示装置１が表示出力する表示内容に対応する音声コンテンツの音声出力の進行を、進行情報にもとづいて制御する。音声出力進行制御部２ｂは、通信制御部を介して表示装置１が表示する表示内容を示す情報の取得、または通信制御部を介して表示内容の切替を表示装置１に指示する。【選択図】図１
2011203859.tif 000002
【特許請求の範囲】
【請求項１】
表示コンテンツを記憶する表示コンテンツ記憶部を有して前記表示コンテンツを表示出力する表示装置との通信を制御する通信制御部と、
前記表示コンテンツに対応する音声コンテンツを記憶する音声コンテンツ記憶部と、
前記音声コンテンツを音声出力する音声出力部と、
前記音声コンテンツの音声出力の進行の判断に用いる進行情報を取得する進行情報取得部と、
前記表示装置が表示出力する表示内容に対応する前記音声コンテンツの音声出力の進行を、前記進行情報にもとづいて制御する音声出力進行制御部と、
を備えることを特徴とする音声出力装置。
【請求項２】
前記進行情報は、ユーザの聴取状態の判定結果を含み、
前記音声出力進行制御部は、ユーザが聴取状態でない場合に、前記音声コンテンツの音声出力の進行を停止することを特徴とする請求項１記載の音声出力装置。
【請求項３】
前記進行情報は、あらかじめ登録したユーザごとの利用条件を含み、
前記音声出力進行制御部は、前記利用条件を満たさない場合に、前記音声コンテンツの音声出力の進行を停止することを特徴とする請求項１記載の音声出力装置。
【請求項４】
前記進行情報は、中断した前記音声コンテンツの再生位置を含み、
前記音声出力進行制御部は、再生を中断した前記音声コンテンツがある場合に、前記音声コンテンツの音声出力の進行を前記再生位置から開始することを特徴とする請求項１記載の音声出力装置。
【請求項５】
前記進行情報は、前記音声コンテンツの再生履歴を含み、
前記音声出力進行制御部は、複数の選択肢から一の前記音声コンテンツを再生している場合に、次に再生する前記音声コンテンツの選択を制限することを特徴とする請求項１記載の音声出力装置。
【請求項６】
前記表示装置は、複数ページから構成され、各ページを識別するための識別情報を各ページに備え、
前記進行情報取得部は、前記識別情報を取得することを特徴とすることを特徴とする請求項１記載の音声出力装置。
【請求項７】
前記音声出力進行制御部は、前記識別情報にもとづいて、前記表示装置に表示内容の切替を指示することを特徴とする請求項６記載の音声出力装置。
【請求項８】
表示コンテンツを記憶する表示コンテンツ記憶部を有して前記表示コンテンツを表示出力する表示装置との通信を制御する通信制御部と、前記表示コンテンツに対応する音声コンテンツを記憶する音声コンテンツ記憶部と、前記音声コンテンツを音声出力する音声出力部と、を備える音声出力装置の音声出力方法において、
前記音声コンテンツの音声出力の進行の判断に用いる進行情報を取得するステップと、
前記表示装置が表示出力する表示内容に対応する前記音声コンテンツの音声出力の進行を、前記進行情報にもとづいて制御するステップと、
を含むことを特徴とする音声出力方法。
【発明の詳細な説明】
【技術分野】
【０００１】
本発明は、表示コンテンツに対応した音声を出力する音声出力装置、および音声出力方法に関する。
【背景技術】
【０００２】
絵本をはじめとする書籍等は、絵や文字等による視覚情報を通じて観察者に情報を提供している。こうした視覚情報と同時に音声情報を観察者に提供する、いわゆる読み聞かせは、幼児教育や高齢者の脳の活性化などの目的において有用であるとされている。
【０００３】
読み聞かせの態様は、紙媒体を用いた読み聞かせが広く知られているが、他にも電子制御装置を用いて絵本コンテンツを読み聞かせる電子絵本システム（たとえば、特許文献１参照）が提案されている。
【先行技術文献】
【特許文献】
【０００４】
【特許文献１】特開２００９−１１９７６９号公報
【発明の概要】
【発明が解決しようとする課題】
【０００５】
しかしながら、マンツーマンでの読み聞かせは、話者の都合で読み聞かせタイミングの制約を受けることが避けられない。また、デイケアサービスなど介護福祉の現場でのマンツーマンでの読み聞かせは、人的コストの制約を受ける。そのため、聴取者は、自由に読み聞かせてもらえないという不満が生じる。
【０００６】
本発明は、このような点に鑑みてなされたものであり、話者を必要とせずに表示コンテンツに対応した音声を出力する音声出力装置、および音声出力方法の提供を目的とする。
【課題を解決するための手段】
【０００７】
上記課題を解決するために、音声出力装置は、通信制御部と、音声コンテンツ記憶部と、音声出力部と、進行情報取得部と、音声出力進行制御部とを備える。
通信制御部は、表示コンテンツを記憶する表示コンテンツ記憶部を有して表示コンテンツを表示出力する表示装置との通信を制御する。音声コンテンツ記憶部は、表示コンテンツに対応する音声コンテンツを記憶する。音声出力部は、音声コンテンツを音声出力する。進行情報取得部は、音声コンテンツの音声出力の進行の判断に用いる進行情報を取得する。音声出力進行制御部は、表示装置が表示出力する表示内容に対応する音声コンテンツの音声出力の進行を、進行情報にもとづいて制御する。
【０００８】
また、上記課題を解決するために、表示コンテンツを記憶する表示コンテンツ記憶部を有して表示コンテンツを表示出力する表示装置との通信を制御する通信制御部と、表示コンテンツに対応する音声コンテンツを記憶する音声コンテンツ記憶部と、音声コンテンツを音声出力する音声出力部と、を備える音声出力装置の音声出力方法は、音声コンテンツの音声出力の進行の判断に用いる進行情報を取得するステップと、表示装置が表示出力する表示内容に対応する音声コンテンツの音声出力の進行を、進行情報にもとづいて制御するステップと、を含む。
【発明の効果】
【０００９】
上記の音声出力装置、および音声出力方法によれば、話者を必要とせずに表示コンテンツに対応した音声を出力する。
【図面の簡単な説明】
【００１０】
【図１】第１の実施形態の表示装置および音声出力装置のブロック図である。
【図２】第２の実施形態の表示装置および音声出力装置の概観を示す図である。
【図３】第２の実施形態の音声出力制御装置および表示制御装置のハードウェア構成例を示す図である。
【図４】第２の実施形態の読み聞かせ処理のフローチャートである。
【図５】第２の実施形態のユーザ認証処理のフローチャートである。
【図６】第２の実施形態のユーザ登録情報テーブルの一例を示す図である。
【図７】第２の実施形態のコンテンツ選択処理のフローチャートである。
【図８】第２の実施形態のコンテンツダウンロード処理のフローチャートである。
【図９】第２の実施形態のコンテンツデータの一例を示す図である。
【図１０】第２の実施形態のしおりデータの一例を示す図である。
【図１１】第２の実施形態の一単位読み聞かせ処理のフローチャートである。
【図１２】第２の実施形態の継続条件判定処理のフローチャートである。
【図１３】第３の実施形態の双方向コンテンツ利用例を示す図である。
【図１４】第３の実施形態のサブコンテンツデータの一例を示す図である。
【図１５】第４の実施形態のサブコンテンツ表示例を示す図である。
【図１６】第５の実施形態の表示装置の概観を示す図である。
【図１７】第５の実施形態の表示コンテンツ割当表の一例を示す図である。
【発明を実施するための形態】
【００１１】
以下、実施形態を図面を参照して説明する。
図１は、第１の実施形態の表示装置および音声出力装置のブロック図である。
第１の実施形態の表示装置１と音声出力装置２は、通信可能に接続することで、表示コンテンツの表示出力と、音声コンテンツの音声出力とを協働しておこなう。表示装置１は、たとえば、書籍を表示コンテンツとして文字や絵などの視覚情報を表示する。より具体的には、表示装置１は、電子書籍である。音声出力装置２は、表示装置１が表示する表示コンテンツに対応する音声コンテンツを音声出力する。音声出力装置２は、表示装置１と通信可能に接続することで、たとえば、読み聞かせ装置を構成する。
【００１２】
表示装置１は、通信制御部１ａと、表示出力部１ｂと、表示切替制御部１ｃと、表示コンテンツ記憶部１ｄを備える。通信制御部１ａは、音声出力装置２との通信を制御する。表示出力部１ｂは、文字や絵などの視覚情報を表示出力する。表示出力部１ｂは、たとえば、液晶ディスプレイである。表示コンテンツ記憶部１ｄは、表示コンテンツを記憶する。表示コンテンツは、所定単位（たとえば、書籍単位）のテキストデータやイメージデータなどである。
【００１３】
表示切替制御部１ｃは、表示コンテンツ記憶部１ｄが記憶する表示コンテンツを所定単位（たとえば、ページ単位）で表示するために、表示出力部１ｂに表示する表示内容を切替制御する。
【００１４】
音声出力装置２は、通信制御部２ａと、音声出力部２ｃと、進行情報取得部２ｄと、音声コンテンツ記憶部２ｅと、音声出力進行制御部２ｂを備える。通信制御部２ａは、表示装置１との通信を制御する。音声出力部２ｃは、音声（音楽などを含む）を出力する。音声出力部２ｃは、たとえば、スピーカであり、ヘッドホンやイヤホンを含む。音声コンテンツ記憶部２ｅは、表示装置１の表示コンテンツ記憶部１ｄが記憶する表示コンテンツに対応する音声コンテンツを記憶する。音声コンテンツは、所定単位（たとえば、書籍単位）の音声データなどである。
【００１５】
進行情報取得部２ｄは、音声コンテンツの音声出力の進行の判断に用いる進行情報を取得する。進行情報は、音声コンテンツの音声出力の継続を判断するための情報であり、たとえば、利用者の意思表示入力、利用可能時間、連続利用時間、聴取状態などがある。音声出力進行制御部２ｂは、表示装置１が表示出力する表示内容に対応する音声コンテンツの音声出力の進行を、進行情報にもとづいて制御する。音声出力進行制御部２ｂは、音声コンテンツの音声出力の進行を表示内容に対応させるため、通信制御部を介して表示装置１が表示する表示内容を示す情報を取得する。あるいは、音声出力進行制御部２ｂは、音声コンテンツの音声出力の進行を表示内容に対応させるため、通信制御部を介して表示内容の切替を表示装置１に指示する。
【００１６】
これにより、音声出力装置は、話者を必要とせずに表示コンテンツに対応した音声を出力することができる。
次に、第２の実施形態を用いてより具体的な説明をする。まず、第２の実施形態の表示装置および音声出力装置の概観について図２を用いて説明する。図２は、第２の実施形態の表示装置および音声出力装置の概観を示す図である。
【００１７】
音声出力装置１０は、たとえば、クマのようなキャラクタを模したロボットの形態であり、載置台に表示装置２０を載置する。音声出力装置１０は、表示装置２０を載置台に載置した状態で読み聞かせ装置（読み聞かせロボット）として機能する。
【００１８】
音声出力装置１０は、マイク１１、カメラ１２、スピーカ１３、通信部１４、演出駆動部１５、ＲＦＩＤ（Radio Frequency IDentification：電波による個体識別）タグリーダ１６、およびコンテンツメモリリーダ１７を備える。マイク１１は、キャラクタの耳に相当する部位に左右一対が設けられ、利用者の音声等を入力する。カメラ１２は、キャラクタの目に相当する部位に左右一対が設けられ、撮影画像を入力する。スピーカ１３は、キャラクタの口に相当する部位に設けられ、音声を出力する。
【００１９】
通信部１４は、載置台に載置された表示装置２０に近接する位置であって、キャラクタの体幹部に相当する部位に設けられ、表示装置２０の通信部２２と通信をおこなう。通信部１４と通信部２２は、たとえば、近距離無線通信や赤外線通信により、または電気的に接続して通信をおこなう。演出駆動部１５は、キャラクタの腕に相当する部位に設けられ、腕を動かして、表示装置２０の表示内容のページ捲り動作を演出する。ＲＦＩＤタグリーダ１６は、近傍に位置するＲＦＩＤタグからデータを入力する。コンテンツメモリリーダ１７は、コンテンツメモリ３０に記録されたコンテンツデータを入力する。音声出力装置１０は、ネットワーク通信部を備え、コンテンツサーバからネットワーク経由でコンテンツデータを取得することもできる。ネットワーク通信部は、たとえば、キャラクタの耳に相当する部位にアンテナを設けて、無線ＬＡＮ（Local Area Network）で通信をおこなうようにしてもよい。
【００２０】
表示装置２０は、ディスプレイ２１と通信部２２を備える。ディスプレイ２１は、画素ごとに色の異なるカラー液晶層を重ねたカラー電子ペーパである。通信部２２は、音声出力装置１０の通信部１４と通信をおこなう。
【００２１】
コンテンツデータは、表示コンテンツと、表示コンテンツに対応する音声コンテンツとがある。表示コンテンツと音声コンテンツは、コンテンツメモリ３０、あるいはコンテンツサーバから取得可能である。この場合、表示装置２０は、音声出力装置１０を介して表示コンテンツを取得する。
【００２２】
また、コンテンツメモリ３０、あるいはコンテンツサーバは、表示コンテンツに対応する音声コンテンツのみを格納するようにしてもよい。この場合、表示装置２０は、音声出力装置１０から独立して表示コンテンツを取得する。音声出力装置１０は、表示装置２０が表示する表示コンテンツを識別する情報を表示装置２０から取得して、コンテンツメモリ３０、あるいはコンテンツサーバから表示コンテンツに対応する音声コンテンツを取得する。
【００２３】
次に、第２の実施形態の音声出力装置１０を制御する音声出力制御装置、および表示装置２０を制御する表示制御装置のハードウェア構成例について図３を用いて説明する。図３は、第２の実施形態の音声出力制御装置および表示制御装置のハードウェア構成例を示す図である。
【００２４】
音声出力装置１０は、音声出力制御装置１００を備える。音声出力制御装置１００は、マイク１１、カメラ１２、スピーカ１３、演出駆動部１５、ＲＦＩＤタグリーダ１６、コンテンツメモリリーダ１７など、複数の周辺機器が接続される。
【００２５】
音声出力制御装置１００は、ＣＰＵ（Central Processing Unit）１０１によって装置全体が制御されている。ＣＰＵ１０１には、バス１０６を介してＲＯＭ（Read Only Memory）１０２、ＲＡＭ（Random Access Memory）１０３、入出力インタフェース１０４、および通信インタフェース１０５が接続されている。なお、ＣＰＵ１０１には、ＲＯＭ１０２に加えて、あるいはＲＯＭ１０２に代えて図示しないＨＤＤ（Hard Disk Drive）を接続することもできる。
【００２６】
ＲＡＭ１０３には、ＣＰＵ１０１に実行させるＯＳ（Operating System）のプログラムやアプリケーションプログラムの少なくとも一部が一時的に格納される。また、ＲＡＭ１０３には、ＣＰＵ１０１による処理に必要な各種データが格納される。ＲＯＭ１０２には、ＯＳやアプリケーションプログラムが格納される。
【００２７】
入出力インタフェース１０４には、マイク１１、カメラ１２、スピーカ１３、演出駆動部１５、ＲＦＩＤタグリーダ１６、コンテンツメモリリーダ１７などが接続されている。入出力インタフェース１０４は、マイク１１、カメラ１２、スピーカ１３、演出駆動部１５、ＲＦＩＤタグリーダ１６、コンテンツメモリリーダ１７から送られてくる信号を、バス１０６を介してＣＰＵ１０１に送信する。
【００２８】
通信インタフェース１０５は、表示制御装置２００との間でデータの送受信をおこなう。また、通信インタフェース１０５は、ネットワークを介してコンテンツサーバ３との間でデータの送受信をおこなう。
【００２９】
表示装置２０は、表示制御装置２００を備える。表示制御装置２００は、ディスプレイ２１などの周辺機器が接続される。
表示制御装置２００は、ＣＰＵ２０１によって装置全体が制御されている。ＣＰＵ２０１には、バス２０７を介してＲＯＭ２０２、ＲＡＭ２０３、グラフィック処理装置２０４、入出力インタフェース２０５、および通信インタフェース２０６が接続されている。なお、ＣＰＵ１０１には、ＲＯＭ１０２に加えて、あるいはＲＯＭ１０２に代えて図示しないＨＤＤを接続することもできる。
【００３０】
ＲＡＭ２０３には、ＣＰＵ２０１に実行させるＯＳのプログラムやアプリケーションプログラムの少なくとも一部が一時的に格納される。また、ＲＡＭ２０３には、ＣＰＵ２０１による処理に必要な各種データが格納される。ＲＯＭ２０２には、ＯＳやアプリケーションプログラムが格納される。
【００３１】
グラフィック処理装置２０４には、ディスプレイ２１が接続されている。グラフィック処理装置２０４は、ＣＰＵ２０１からの命令にしたがって、画像をディスプレイ２１の画面に表示させる。
【００３２】
入出力インタフェース２０５には、図示しない操作スイッチや、タッチパネルなどが接続されている。入出力インタフェース２０５は、図示しない操作スイッチや、タッチパネルなどから送られてくる信号を、バス２０７を介してＣＰＵ２０１に送信する。
【００３３】
通信インタフェース２０６は、音声出力制御装置１００との間でデータの送受信をおこなう。
以上のようなハードウェア構成によって、本実施の形態の処理機能を実現することができる。
【００３４】
なお、音声出力制御装置１００および表示制御装置２００は、それぞれＦＰＧＡ（Field Programmable Gate Array）やＤＳＰ（Digital Signal Processer）などからなるモジュールを含んで構成することもでき、それぞれＣＰＵ１０１、ＣＰＵ２０１を有しない構成とすることもできる。その場合、音声出力制御装置１００および表示制御装置２００は、それぞれ不揮発性メモリ（たとえば、ＥＥＰＲＯＭ（Electrically Erasable and Programmable Read Only Memory）、フラッシュメモリ、フラッシュメモリ型メモリカードなど）を備え、モジュールのファームウェアを記憶する。不揮発性メモリは、可搬型記録媒体、あるいは通信インタフェース１０５、通信インタフェース２０６を介してファームウェアを書き込むことができる。可搬型記録媒体を接続する場合、入出力インタフェース１０４および入出力インタフェース２０５は、可搬型記録媒体への情報の書込み、および可搬型記録媒体への情報の読出しが可能な可搬型記録媒体インタフェースと接続可能になっている。
【００３５】
このように音声出力制御装置１００および表示制御装置２００は、不揮発性メモリに記憶されているファームウェアを書き換えることにより、ファームウェアの更新をすることもできる。
【００３６】
なお、音声出力装置１０と表示装置２０とを別体にして備えず、音声出力装置が表示装置を一体にして備えるようにしてもよい。その場合、音声出力制御装置１００は、グラフィック処理装置を備え、表示制御をおこなう。
【００３７】
次に、第２の実施形態の読み聞かせ処理を図４を用いて説明する。読み聞かせ処理は、音声出力制御装置１００により実行される。図４は、第２の実施形態の読み聞かせ処理のフローチャートである。
【００３８】
［ステップＳ１１］音声出力制御装置１００は、ユーザ認証処理により利用ユーザの特定と、利用の可否を判定するユーザ認証処理を実行する。ユーザ認証処理の詳細は、図５、図６を用いて後述する。
【００３９】
［ステップＳ１２］音声出力制御装置１００は、ユーザ認証処理により利用ユーザが特定され、利用が許可された場合に、コンテンツ選択処理を実行する。コンテンツ選択処理は、読み聞かせをおこなうコンテンツの選択と、選択したコンテンツの開始位置の決定をおこなう。コンテンツ選択処理の詳細は、図７から図１０を用いて後述する。
【００４０】
［ステップＳ１３］音声出力制御装置１００は、読み聞かせを連続して実行するタイマ値を設定する。タイマ値は、たとえば、「１０分」が設定される。
このように、タイマ値を用いたタイマ監視は、ユーザが読み聞かせを継続しておこなう意思がなくなったときに、意図せずコンテンツの再生が進んでしまうことを防止する。たとえば、ユーザが寝てしまったときなどに、音声出力制御装置１００は、適当な位置で再生を停止するため、次回の再生位置の確認が容易である。また、タイマ監視は、ユーザが無制限に音声出力制御装置１００を利用することを制限するので、保護者の監督下で子どもが利用する場合などに有効である。
【００４１】
［ステップＳ１４］音声出力制御装置１００は、コンテンツのタイトルの読み上げを制御するとともに、ユーザに対応した導入メッセージの再生を制御する。これにより、たとえば、ユーザが子どもの場合、音声出力装置１０は、読み聞かせの導入として、演出駆動部１５による本の開き動作演出をおこない、「（コンテンツのタイトル）だね。はじまりはじまり〜。」と導入メッセージを音声出力する。
【００４２】
［ステップＳ１５］音声出力制御装置１００は、コンテンツの一単位（たとえば、章、段落、文章、再生時間などの再生単位）での読み聞かせの進行を制御する。一単位読み聞かせ処理の詳細は、図１１を用いて後述する。
【００４３】
［ステップＳ１６］音声出力制御装置１００は、１つのコンテンツの読み聞かせが終了したか否かを判定する。音声出力制御装置１００は、１つのコンテンツの読み聞かせが終了した場合、コンテンツの読み聞かせの終了を表示装置２０に通知し、ステップＳ２０にすすむ。一方、音声出力制御装置１００は、１つのコンテンツの読み聞かせが終了していない場合、ステップＳ１７にすすむ。
【００４４】
［ステップＳ１７］音声出力制御装置１００は、コンテンツの読み聞かせを継続するか否かを判定する継続条件判定処理を実行する。継続条件判定処理の詳細は、図１２を用いて後述する。
【００４５】
［ステップＳ１８］音声出力制御装置１００は、継続条件判定処理に実行の結果が継続である場合、ステップＳ１５にすすみ、コンテンツの読み聞かせを継続する。一方、音声出力制御装置１００は、継続条件判定処理に実行の結果が継続でない場合、ステップＳ１９にすすむ。
【００４６】
［ステップＳ１９］音声出力制御装置１００は、コンテンツの読み聞かせを中途（中断）終了する中途終了処理を実行する。中途終了処理は、コンテンツの読み聞かせ再生位置をしおりデータとして記録する。しおりデータの詳細は、図１０を用いて後述する。
【００４７】
また、音声出力制御装置１００は、コンテンツの読み聞かせの中途終了を表示装置２０に通知する。
表示装置２０は、コンテンツの読み聞かせの中途終了の通知を受けて、メニューのしおりリストを更新する。更新されたしおりリストは、ユーザに読み始めのきっかけとなる案内情報としてディスプレイ２１に表示する。ディスプレイ２１は、電源未投入時でも表示を保持する。
【００４８】
［ステップＳ２０］音声出力制御装置１００は、コンテンツの読み聞かせを終了する終了処理を実行する。表示装置２０は、コンテンツの読み聞かせの終了の通知を受けて、メニューの最近の読み終わりリスト、ユーザの興味の傾向を分析したおすすめ本リストを更新する。更新されたリストは、ユーザに読み始めのきっかけとなる案内情報としてディスプレイ２１に表示する。ディスプレイ２１は、電源未投入時でも表示を保持する。終了処理は、演出駆動部１５による本の閉じ動作演出をおこない、ユーザに対応した終了メッセージを再生して、読み聞かせ処理を終了する。たとえば、ユーザが子どもの場合、音声出力装置１０は、読み聞かせの終了として、「おしまい。また読もうね。」と終了メッセージを音声出力する。
【００４９】
次に、第２の実施形態のユーザ認証処理を図５、図６を用いて説明する。ユーザ認証処理は、音声出力制御装置１００により実行される。ユーザ認証処理は、利用ユーザの特定と、利用の可否を判定する。図５は、第２の実施形態のユーザ認証処理のフローチャートである。図６は、第２の実施形態のユーザ登録情報テーブルの一例を示す図である。
【００５０】
［ステップＳ２１］音声出力制御装置１００は、カメラ１２から入力する撮影画像にもとづいて音声出力制御装置１００の前にいるユーザの有無を判定してユーザの検出をおこなう。音声出力制御装置１００は、ユーザを検出するまでユーザ検出を反復し、ユーザの検出によりステップＳ２２にすすむ。なお、音声出力制御装置１００は、カメラ１２でのユーザ検出に加えて、あるいはカメラ１２でのユーザの検出に代えて、マイク１１から入力する音声入力にもとづいて音声出力制御装置１００の近傍にいるユーザの有無を判定してもよい。
【００５１】
［ステップＳ２２］音声出力制御装置１００は、検出したユーザが登録したユーザであるか否かを判定する。音声出力制御装置１００は、検出したユーザが登録したユーザでない場合は、あらためてユーザ検出をおこなうためステップＳ２１にすすむ。
【００５２】
なお、このとき、音声出力制御装置１００は、新規ユーザ登録をおこなう処理を実行するようにしてもよい。これにより、たとえば、音声出力装置１０は、「はじめまして、お名前を教えてくれるかな？」と新規登録案内メッセージを音声出力し、「山田太郎だよ」と音声入力を受け付ける。音声出力制御装置１００は、受け付けた音声入力について、文字解析、意味解析を経てユーザ名を特定する。そして、たとえば、音声出力装置１０は、「山田太郎さんだね？合ってるかな？」と登録情報確認メッセージを音声出力する。音声出力制御装置１００は、ユーザからの「合ってる」などの肯定的回答の入力を確認後、新規ユーザとしてユーザ名と顔データを登録する。また、音声出力制御装置１００は、音声入力にもとづいてユーザの特定をおこなう場合に音声データを登録する。
【００５３】
音声出力制御装置１００は、検出したユーザが登録したユーザである場合は、登録ユーザ検出メッセージを音声出力してからステップＳ２３にすすむ。たとえば、音声出力装置１０は、検出したユーザが登録したユーザである場合に「（ユーザ名）さんだね、ご本を読もうか？」と登録ユーザ検出メッセージを音声出力する。
【００５４】
検出したユーザが登録したユーザであるか否かの判定は、撮影画像にもとづく場合は、あらかじめ登録した顔との比較によりおこなうことができる。また、音声入力にもとづく場合は、あらかじめ登録した音声との比較によりおこなうことができる。
【００５５】
ユーザ（使用者）の登録情報は、ユーザ登録時にユーザ登録情報テーブル４０に記録される。ユーザ登録情報テーブル４０は、ユーザＩＤ、指令優先度、ユーザ名、ユーザ認証情報、利用条件１、利用条件２、・・・を登録情報として含む。ユーザＩＤは、ユーザを一意に識別する識別情報である。指令優先度は、ユーザごとの指令の優先度であり、値が小さいほど優先度が高い。たとえば、指令優先度「１」のユーザの指令は、指令優先度「２」のユーザの指令に優先する。ユーザ名は、ユーザが設定する。たとえば、ユーザＩＤ「１」のユーザは、ユーザ名が「お母さん」である。ユーザ認証情報は、ユーザを認証する情報である。ユーザを認証する情報は、たとえば、顔情報や、音声情報である。利用条件１、利用条件２、・・・は、ユーザが音声出力装置１０を利用する条件である。利用条件は、複数設定可能であり、複数設定があった場合、小さい番号を付した利用条件は、大きい番号を付した利用条件に優先する強い条件である。たとえば、利用条件１は、利用条件２に優先する強い条件である。
【００５６】
［ステップＳ２３］音声出力制御装置１００は、ユーザ登録情報テーブル４０からユーザの利用条件を取得する。
［ステップＳ２４］音声出力制御装置１００は、ユーザの利用条件から現時刻がユーザの利用可能時間であるか否かを判定する。音声出力制御装置１００は、現時刻がユーザの利用可能時間である場合、ステップＳ２５にすすむ。一方、音声出力制御装置１００は、現時刻がユーザの利用可能時間でない場合、ステップＳ２６にすすむ。
【００５７】
［ステップＳ２５］音声出力制御装置１００は、ユーザによる音声出力装置１０の利用を許可してユーザ認証処理を終了する。
［ステップＳ２６］音声出力制御装置１００は、ユーザより指令優先度の高いユーザの利用許可があるか否かを判定する。音声出力制御装置１００は、ユーザより指令優先度の高いユーザの利用許可がある場合、ステップＳ２５にすすむ。一方、音声出力制御装置１００は、ユーザより指令優先度の高いユーザの利用許可がない場合、ステップＳ２７にすすむ。
【００５８】
音声出力制御装置１００は、指令優先度の高いユーザの検出と、指令優先度の高いユーザの肯定的回答の検出とにより指令優先度の高いユーザの利用許可があったと判断する。
［ステップＳ２７］音声出力制御装置１００は、ユーザによる音声出力装置１０の利用を不可（不許可）としてユーザ認証処理を終了する。
【００５９】
次に、第２の実施形態のコンテンツ選択処理を図７を用いて説明する。コンテンツ選択処理は、音声出力制御装置１００により実行される。コンテンツ選択処理は、読み聞かせをおこなうコンテンツの選択と、選択したコンテンツの開始位置の決定をおこなう。図７は、第２の実施形態のコンテンツ選択処理のフローチャートである。
【００６０】
［ステップＳ３１］音声出力制御装置１００は、ユーザがコンテンツを自由に選択可能か否かを判定する。音声出力制御装置１００は、ユーザがコンテンツを自由に選択可能と判定した場合、ステップＳ３６にすすむ。音声出力制御装置１００は、ユーザがコンテンツを自由に選択不可と判定した場合、ステップＳ３２にすすむ。
【００６１】
［ステップＳ３２］音声出力制御装置１００は、ユーザの利用条件で制限する利用コンテンツの範囲に、コンテンツの選択範囲を制限する。音声出力制御装置１００は、コンテンツの選択範囲のうち、ユーザに提案可能なコンテンツがあるか否かを判定する。音声出力制御装置１００は、ユーザに提案可能なコンテンツがある場合、ステップＳ３４にすすむ。一方、音声出力制御装置１００は、ユーザに提案可能なコンテンツがない場合、ステップＳ３３にすすむ。
【００６２】
［ステップＳ３３］音声出力制御装置１００は、ユーザにとって選択肢がない場合に、音声出力制御装置１００が選択するデフォルトコンテンツを選択する。
［ステップＳ３４］音声出力制御装置１００は、ユーザの選択肢から推奨するコンテンツを選択して提案する。音声出力制御装置１００は、たとえば、しおりデータの有無や、ユーザの過去のコンテンツ選択履歴から推奨するコンテンツの提案をおこなう。このとき、音声出力装置１０は、たとえば、「（コンテンツのタイトル）にしようか。」と提案メッセージを音声出力する。
【００６３】
［ステップＳ３５］音声出力制御装置１００は、ユーザの肯定的回答の検出により受け入れ応答があったと判断する。また、音声出力制御装置１００は、ユーザの否定的回答の検出、または応答受付時間内にユーザの肯定的回答の検出がなかったことにより受け入れ応答がないと判断する。音声出力制御装置１００は、受け入れ応答があると判断した場合に、ステップＳ３６にすすむ。一方、音声出力制御装置１００は、受け入れ応答がないと判断した場合に、ステップＳ３２にすすむ。
【００６４】
［ステップＳ３６］音声出力制御装置１００は、ユーザが受け入れ応答をおこなったコンテンツを選択する。
［ステップＳ３７］音声出力制御装置１００は、コンテンツをダウンロードするコンテンツダウンロード処理を実行後、コンテンツ選択処理を終了する。コンテンツダウンロード処理の詳細は、図８を用いて後述する。
【００６５】
次に、第２の実施形態のコンテンツダウンロード処理を図８から図１０を用いて説明する。コンテンツダウンロード処理は、音声出力制御装置１００により実行される。図８は、第２の実施形態のコンテンツダウンロード処理のフローチャートである。図９は、第２の実施形態のコンテンツデータの一例を示す図である。図１０は、第２の実施形態のしおりデータの一例を示す図である。
【００６６】
［ステップＳ４１］音声出力制御装置１００は、読み取り可能なメモリにコンテンツデータがあるか否かを判定する。読み取り可能なメモリは、たとえば、ＲＡＭ１０３、コンテンツメモリ３０である。音声出力制御装置１００は、読み取り可能なメモリにコンテンツデータがある場合、ステップＳ４３にすすむ。一方、音声出力制御装置１００は、読み取り可能なメモリにコンテンツデータがない場合、ステップＳ４２にすすむ。
【００６７】
［ステップＳ４２］音声出力制御装置１００は、コンテンツデータをコンテンツサーバ３から通信により取得する。
コンテンツデータは、たとえば、コンテンツデータ５０のように、コンテンツ識別情報と、表示コンテンツデータと、音声コンテンツデータを含む。コンテンツ識別情報は、コンテンツを一意に識別する情報である。表示コンテンツデータは、コンテンツを所定単位で区切った表示部分データ（表示ＰＡＲＴ００１、表示ＰＡＲＴ００２、・・・）と、各表示部分データに対応する表示ページデータ（表示ＰＡＧＥ００１、表示ＰＡＧＥ００２、・・・）の集合である。表示ページデータは、対応する表示部分データのページデータ（文字サイズごとのページデータを含む）である。音声コンテンツデータは、コンテンツを所定単位で区切った音声部分データ（音声ＰＡＲＴ００１、音声ＰＡＲＴ００２、・・・）の集合である。
【００６８】
表示コンテンツデータと、音声コンテンツデータは、互いの通し番号で関連付けされている。たとえば、音声出力装置１０が音声ＰＡＲＴ００１を音声出力しているとき、表示装置２０は、表示ＰＡＲＴ００１を表示する。なお、音声出力制御装置１００は、表示コンテンツデータを記憶保持しなくてもよい。同様に、表示制御装置２００は、音声コンテンツデータを記憶保持しなくてもよい。
【００６９】
［ステップＳ４３］音声出力制御装置１００は、読み取り可能なメモリにしおりデータがあるか否かを判定する。音声出力制御装置１００は、しおりデータがある場合、ステップＳ４４にすすむ。一方、音声出力制御装置１００は、しおりデータがない場合、ステップＳ４５にすすむ。
【００７０】
［ステップＳ４４］音声出力制御装置１００は、しおりデータを取得する。しおりデータは、前回までのコンテンツの読み聞かせで中途終了した位置を記録する。しおりデータは、たとえば、しおりデータ６０のように、ユーザ名と、コンテンツ識別情報と、表示コンテンツ開始位置と、音声コンテンツ開始位置を含む。表示コンテンツ開始位置は、表示出力を開始する表示部分データを特定する。音声コンテンツ開始位置は、音声出力を開始する音声部分データを特定する。たとえば、ユーザ名「たろう」は、コンテンツ識別情報「ＣＯＤＥ００１」のコンテンツを、表示について表示ページ「表示ＰＡＧＥ００１」で「表示ＰＡＲＴ００３」から、音声について「音声ＰＡＲＴ００３」から開始するしおりデータがある。
【００７１】
次に、第２の実施形態の一単位読み聞かせ処理を図１１を用いて説明する。一単位読み聞かせ処理は、音声出力制御装置１００により実行される。図１１は、第２の実施形態の一単位読み聞かせ処理のフローチャートである。
【００７２】
［ステップＳ５１］音声出力制御装置１００は、表示制御装置２００とコンテンツ出力の開始位置を同期するため、表示制御装置２００に表示コンテンツの開始位置を通知する。
【００７３】
なお、表示制御装置２００が表示装置２０の操作入力にもとづいて表示コンテンツを切り替えた場合は、音声出力制御装置１００は、表示制御装置２００からの通知を受けて音声コンテンツの開始位置を変更するようにしてもよい。
【００７４】
［ステップＳ５２］音声出力制御装置１００は、音声部分データの範囲で音声コンテンツを再生する。なお、このとき表示装置２０の表示は、読み聞かせ中の文章にあわせて表示されている文章の文字色を変更する。
【００７５】
［ステップＳ５３］音声出力制御装置１００は、ユーザが聴取状態であるか否かを判定する。ユーザが聴取状態であるか否かの判定は、あらかじめ定義した聴取状態判定基準にしたがい判定する。聴取状態判定基準は、たとえば、ユーザ離脱の検出（カメラ１２の入力する撮影画像から所定時間以上の間、ユーザが確認できなくなった）や、ユーザの睡眠検出（撮影画像からユーザが所定時間以上の間、目を閉じている状態の検出）によりおこなう。
【００７６】
音声出力制御装置１００は、ユーザが聴取状態でないと判定した場合は、終了メッセージを音声出力した後、ステップＳ５５にすすみ、音声コンテンツの再生を終了する。一方、音声出力制御装置１００は、ユーザが聴取状態であると判定した場合は、ステップＳ５４にすすみ、音声コンテンツの再生を継続する。たとえば、音声出力装置１０は、終了メッセージとして「きょうはここまでにするね」と音声出力する。
【００７７】
なお、音声出力制御装置１００は、ユーザが聴取状態でないと判定する場合、確認メッセージを音声出力してもよい。たとえば、音声出力装置１０は、確認メッセージとして「もういいの？」と音声出力する。
【００７８】
［ステップＳ５４］音声出力制御装置１００は、音声部分データの範囲（一単位）で音声コンテンツの再生が終了したか否かを判定する。音声出力制御装置１００は、音声コンテンツの再生が終了した場合、ステップＳ５５にすすむ。一方、音声出力制御装置１００は、音声コンテンツの再生が終了していない場合、ステップＳ５２にすすむ。
【００７９】
［ステップＳ５５］音声出力制御装置１００は、改ページがあるか否かを判定する。改ページの有無は、音声部分データに対応する表示ページデータを参照しておこなう。音声出力制御装置１００は、改ページがある場合、ステップＳ５６にすすみ、改ページがない場合、ステップＳ５７にすすむ。
【００８０】
［ステップＳ５６］音声出力制御装置１００は、演出駆動部１５によるページの捲り動作演出をおこなう。
［ステップＳ５７］音声出力制御装置１００は、しおりデータ６０を更新して一単位読み聞かせ処理を終了する。
【００８１】
次に、第２の実施形態の継続条件判定処理を図１２を用いて説明する。継続条件判定処理は、音声出力制御装置１００により実行される。継続条件判定処理は、音声コンテンツの音声出力の継続の是非を判定する。図１２は、第２の実施形態の継続条件判定処理のフローチャートである。
【００８２】
［ステップＳ６１］音声出力制御装置１００は、ユーザの利用条件で制限する利用可能時間であるか否かを判定する。音声出力制御装置１００は、利用可能時間である場合、ステップＳ６２にすすみ、利用可能時間でない場合、ステップＳ６７にすすむ。
【００８３】
［ステップＳ６２］音声出力制御装置１００は、読み聞かせを連続して実行するタイマ値がタイムアップしたか否かを判定する。音声出力制御装置１００は、タイムアップした場合、ステップＳ６３にすすみ、タイムアップしていない場合、ステップＳ６６にすすむ。
【００８４】
［ステップＳ６３］音声出力制御装置１００は、継続意思確認メッセージの音声出力をおこない、ユーザの継続意思を確認するため所定期間の音声入力を待つ。たとえば、音声出力装置１０は、継続意思確認メッセージとして「きょうはここまでにしておく？」と音声出力する。
【００８５】
［ステップＳ６４］音声出力制御装置１００は、ユーザの肯定的回答の検出により継続意思の表明があったと判断する。また、音声出力制御装置１００は、ユーザの否定的回答の検出、または応答受付時間内にユーザの肯定的回答の検出がなかったことにより継続意思の表明がないと判断する。音声出力制御装置１００は、継続意思の表明があると判断した場合に、ステップＳ６５にすすむ。一方、音声出力制御装置１００は、継続意思の表明がないと判断した場合に、ステップＳ６７にすすむ。
【００８６】
［ステップＳ６５］音声出力制御装置１００は、読み聞かせを連続して実行するタイマ値を再設定する。タイマ値は、たとえば、初期設定時より短い「５分」が設定される。
［ステップＳ６６］音声出力制御装置１００は、読み聞かせの継続を判定して継続条件判定処理を終了する。
【００８７】
［ステップＳ６７］音声出力制御装置１００は、読み聞かせの終了を判定して継続条件判定処理を終了する。
このように、音声出力制御装置１００は、利用者の意思表示入力、利用可能時間、連続利用時間などを取得し、音声コンテンツの音声出力の進行の判断をおこなう。ユーザ登録情報テーブル４０は、利用可能時間、連続利用時間などのようにユーザごとの利用条件に優先度を定義できるほか、ユーザ間の指令優先度を定義できる。そのため、たとえば、保護者は、子どもの音声出力制御装置１００の利用を管理できる。また、保護者がユーザ登録情報テーブル４０により詳細な利用条件の定義をおこなうことで、音声出力制御装置１００が自然な形で子どもの生活管理に関与することができる。
【００８８】
また、音声出力制御装置１００のメッセージ出力パターンを複数通り用意し、ユーザや環境に応じてメッセージ出力パターンを選択することで、使用者の生活や健康のためのリズムなどの行動を自然な発話で誘導することができる。たとえば、音声出力制御装置１００は、じろう（指令優先度「２」）に対して１９時（利用可能時間終了）になると「もう寝ようか」とメッセージを出力する。また、音声出力制御装置１００は、１８時（利用可能時間内）であっても、お母さん（指令優先度「１」）の「もう寝なさい」との音声を認識したら、指令優先度の低いじろうの読み聞かせを終了する。音声出力装置１０は、たとえば、読み聞かせを終了する時に、読み聞かせ中のじろうに「もう寝ようか」と音声出力する。
【００８９】
また、ユーザ登録情報テーブル４０には、例示した家庭での利用のほかにも、さまざまな環境に応じた定義をおこなうことができる。たとえば、保育園での利用の場合は、ユーザ登録情報テーブル４０は、指令優先度順に、保母、年長児、年少児をユーザ登録する。また、介護施設での利用の場合は、ユーザ登録情報テーブル４０は、指令優先度順に、介護者、要介護度の高い利用者、要介護度の低い利用者をユーザ登録する。
【００９０】
次に、双方向コンテンツを利用可能とする第３の実施形態を図１３、図１４を用いて説明する。図１３は、第３の実施形態の双方向コンテンツ利用例を示す図である。図１４は、第３の実施形態のサブコンテンツデータの一例を示す図である。
【００９１】
表示装置２０が表示する表示コンテンツ、または音声出力制御装置１００が音声出力する音声コンテンツに対応するユーザからの応答を受け付ける双方向コンテンツ利用例７０を示す。
【００９２】
双方向コンテンツ利用例７０は、生物の幼児教育向け双方向コンテンツ例である。双方向コンテンツは、キャラクタブロックを用いてユーザからの応答を入力する。キャラクタブロック（回答用コンテンツ媒体）は、絵や写真を印刷したブロック形状、またはカード形状であり、音声出力制御装置１００がキャラクタブロックを識別するためのＲＦＩＤタグを備える。キャラクタブロック７１は、「おたまじゃくし」の文字と絵が印刷され、ＲＦＩＤタグ７２を備える。キャラクタブロック７３は、「ひよこ」の文字と絵が印刷され、ＲＦＩＤタグ７４を備える。キャラクタブロック７５は、図示されない文字と絵が印刷され、ＲＦＩＤタグ７６を備える。
【００９３】
表示装置２０が「かえるさんのこどもは？」という表示コンテンツを表示し、音声出力装置１０が「かえるさんのこどもはだーれ？」と音声コンテンツを音声出力した状態で、音声出力制御装置１００は、ユーザの応答を待つ。
【００９４】
ユーザが選択したキャラクタブロックをディスプレイ２１上に置くと、ＲＦＩＤタグリーダ１６がキャラクタブロックの備えるＲＦＩＤタグから識別情報を取得し、音声出力制御装置１００は、あらかじめ設定される正誤判定データにもとづいて正誤を判定する。
【００９５】
音声出力制御装置１００は、判定結果に対応する音声サブコンテンツを選択する。たとえば、音声出力装置１０は、正解の時は、正解時に選択される音声サブコンテンツである「正解〜。そう、かえるさんのこどもは、おたまじゃくしなんだ」を音声出力する。また、音声出力装置１０は、不正解の時は、不正解時に選択される音声サブコンテンツである「うーん残念。ひよこではなくて、おたまじゃくしなんだ」を音声出力する。音声出力制御装置１００は、選択した音声サブコンテンツを表示内容に対応させるため、通信制御部を介して表示する表示内容の切替を表示装置２０に指示する。表示装置２０は、正解を赤丸つきで表示する表示サブコンテンツを表示する。
【００９６】
音声サブコンテンツと表示サブコンテンツは、サブコンテンツデータから取得する。サブコンテンツデータは、たとえば、サブコンテンツデータ８０のように、表示コンテンツデータと、表示サブコンテンツデータと、音声コンテンツデータと、音声サブコンテンツデータを含む。表示サブコンテンツデータは、表示コンテンツデータを表示するときに選択可能なコンテンツデータである。
【００９７】
たとえば、音声コンテンツデータ「音声ＰＡＲＴ００２」を音声出力するとき、実際に音声出力する音声コンテンツデータは、音声サブコンテンツデータ「ＳＰＳ００２００１」、「ＳＰＳ００２００２」、「ＳＰＳ００２００３」のうちから選択される。たとえば、「ＳＰＳ００２００１」は正解時の音声出力、「ＳＰＳ００２００２」は不正解時の音声出力、「ＳＰＳ００２００３」は、入力を促す音声出力である。
【００９８】
たとえば、表示コンテンツデータ「表示ＰＡＲＴ００２」を表示するとき、実際に表示する表示コンテンツデータは、表示サブコンテンツデータ「ＤＰＳ００２００１」、「ＤＰＳ００２００２」、「ＤＰＳ００２００３」のうちから選択される。たとえば、「ＤＰＳ００２００１」は正解時の表示、「ＤＰＳ００２００２」は不正解時の表示、「ＤＰＳ００２００３」は、入力を促す表示である。
【００９９】
音声出力制御装置１００は、音声出力と表示内容とに食い違いが生じないように、選択した音声サブコンテンツに対応した表示サブコンテンツの切替を表示装置２０に指示する。
【０１００】
なお、双方向コンテンツは、生物の幼児教育向け双方向コンテンツに限らない。たとえば、双方向コンテンツは、算数の双方向コンテンツ（足し算、数字の学習）などであってもよい。
【０１０１】
次に、サブコンテンツの読み聞かせをおこなう第４の実施形態を図１５を用いて説明する。図１５は、第４の実施形態のサブコンテンツ表示例を示す図である。
図１５（ａ）は、サブコンテンツ表示例９１を示す。表示装置２０が「きょうはだれがあそびにくるのかな？とんとん」という文字表示と、扉の絵を表示し、音声出力装置１０が「きょうはだれがあそびにくるのかな？とんとん」と音声出力する。
【０１０２】
図１５（ｂ）は、サブコンテンツ表示例９２を示す。表示装置２０が「しろくてながいみみがみえます。だれかわかるかな？」という文字表示と、白くて長い耳の絵を表示し、音声出力装置１０が「しろくてながいみみがみえます。だれかわかるかな？」と音声出力する。
【０１０３】
図１５（ｃ）は、サブコンテンツ表示例９３を示す。表示装置２０が「うさぎさん、でした」という文字表示と、うさぎの絵を表示し、音声出力装置１０が「うさぎさん、でした」と音声出力する。
【０１０４】
このコンテンツでは、遊びにくるキャラクタがコンテンツ再生ごとに変動し、サブコンテンツ表示例９２とサブコンテンツ表示例９３の内容が変更可能になっている。たとえば、サブコンテンツ表示例９２の変更態様として、表示装置２０が「きいろくて、ながいくびがみえます。だれかわかるかな？」という文字表示と、黄色くて長い首の絵を表示し、音声出力装置１０が「きいろくて、ながいくびがみえます。だれかわかるかな？」と音声出力する。この変更態様に対応するサブコンテンツ表示例９３の変更態様では、表示装置２０が「きりんさん、でした」という文字表示と、きりんの絵を表示し、音声出力装置１０が「きりんさん、でした」と音声出力する。
【０１０５】
また、サブコンテンツ表示例９２のさらなる変更態様として、表示装置２０が「はいいろの、ながいはながみえます。だれかわかるかな？」という文字表示と、灰色の長い鼻の絵を表示し、音声出力装置１０が「はいいろの、ながいはながみえます。だれかわかるかな？」と音声出力する。この変更態様に対応するサブコンテンツ表示例９３の変更態様では、表示装置２０が「ぞうさん、でした」という文字表示と、ぞうの絵を表示し、音声出力装置１０が「ぞうさん、でした」と音声出力する。
【０１０６】
このような読み聞かせの進行制御は、第３の実施形態と同様に、音声出力制御装置１００が音声出力と表示内容とに食い違いが生じないように、選択した音声サブコンテンツに対応した表示サブコンテンツの切替を表示装置２０に指示することで実現する。さらに、前段の変更態様（サブコンテンツ表示例９２の変更態様）に対応して、後段の変更態様（サブコンテンツ表示例９３の変更態様）を選択するために、前段のサブコンテンツの選択結果は、後段のサブコンテンツの選択を制限する。
【０１０７】
サブコンテンツデータ８０を用いてサブコンテンツデータの選択を具体的に説明する。たとえば、「表示ＰＡＲＴ００２」、「音声ＰＡＲＴ００２」が前段で、「表示ＰＡＲＴ００３」、「音声ＰＡＲＴ００３」が後段にあるとする。このとき、前段で「ＤＳＰ００２００２」、「ＳＰＳ００２００２」を選択した場合、後段ではデータの識別番号の下３桁が一致する「ＤＳＰ００３００２」、「ＳＰＳ００３００２」を選択することとなる。
【０１０８】
なお、音声出力制御装置１００は、前段のサブコンテンツデータの選択をユーザの過去の選択履歴にもとづいておこなうようにしてもよい。たとえば、音声出力制御装置１００は、累計選択回数の少ないサブコンテンツデータを選択する。
【０１０９】
次に、第５の実施形態の表示装置について図１６、図１７を用いて説明する。図１６は、第５の実施形態の表示装置の概観を示す図である。図１７は、第５の実施形態の表示コンテンツ割当表の一例を示す図である。
【０１１０】
表示装置４は、複数枚のディスプレイ２１を結合部５で綴じ、物理的なページ捲りが可能な電子書籍である。ディスプレイ２１は、裏表に表示部を有し、各ページを識別するためのＲＦＩＤタグ２３を各ページに備える。したがって、音声出力制御装置は、ＲＦＩＤタグリーダ１６により、ユーザに提示しているページを特定可能である。結合部５は、各ディスプレイ２１と表示制御装置とを接続する信号線を内蔵する。
【０１１１】
ユーザは、所望のページを開いて音声出力装置１０の載置台に表示装置４をセットすることでページ捲りをおこなう。なお、音声出力装置１０に物理的なページ捲り機構を備えるようにしてもよい。
【０１１２】
表示装置４が備えるページ数は、実際の書籍に比較して十分なページ数を確保できない（たとえば、８ページ）ことから、各ディスプレイ２１が表示する表示内容は、随時切替がおこなわれる。図１７（ａ）に示す表示コンテンツ割当表４１は、ディスプレイＩＤ（ＲＦＩＤタグ２３に記録）が「ＥＰ０４」、「ＥＰ０５」をユーザに提示中（ユーザ提示中４２）に、各ディスプレイＩＤの表示コンテンツデータは、図示のようになる。ここで、表示装置４のページ捲りがおこなわれると、ユーザに提示中のディスプレイＩＤ（ユーザ提示中４４）は、「ＥＰ０６」、「ＥＰ０７」となる。音声出力制御装置１００は、ページ捲りを検出し、ディスプレイＩＤ「ＥＰ０１」、「ＥＰ０２」、「ＥＰ０３」の表示コンテンツデータを更新する（図１７（ａ）に示す表示コンテンツ割当表４１）。
【０１１３】
これにより、ユーザは、前後所定範囲のページについて、ページ切替操作を必要としない。
なお、上記の処理機能は、コンピュータによって実現することができる。その場合、表示制御装置、音声出力制御装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（可搬型記録媒体を含む）に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ、ＣＤ−ＲＯＭ、ＣＤ−Ｒ（Recordable）／ＲＷ（ReWritable）などがある。光磁気記録媒体には、ＭＯ（Magneto-Optical disk）などがある。
【０１１４】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１１５】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、サーバコンピュータからプログラムが転送されるごとに、逐次、受け取ったプログラムにしたがった処理を実行することもできる。
【０１１６】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【０１１７】
１０  音声出力装置
１１  マイク
１２  カメラ
１３  スピーカ
１４  通信部
１５  演出駆動部
１６  ＲＦＩＤタグリーダ
１７  コンテンツメモリリーダ
２０  表示装置
２１  ディスプレイ
２２  通信部
３０  コンテンツメモリ
１００  音声出力制御装置
２００  表示制御装置
【図１】
2011203859.tif 000003
【図２】
2011203859.tif 000004
【図３】
2011203859.tif 000005
【図４】
2011203859.tif 000006
【図５】
2011203859.tif 000007
【図６】
2011203859.tif 000008
【図７】
2011203859.tif 000009
【図８】
2011203859.tif 000010
【図９】
2011203859.tif 000011
【図１０】
2011203859.tif 000012
【図１１】
2011203859.tif 000013
【図１２】
2011203859.tif 000014
【図１３】
2011203859.tif 000015
【図１４】
2011203859.tif 000016
【図１５】
2011203859.tif 000017
【図１６】
2011203859.tif 000018
【図１７】
2011203859.tif 000019